(57)【要約】      （修正有）【課題】細く短くても支持力が大きく地盤から抜けたり浮上することが抑制され、地盤が緩い法面でも打設による衝撃で地滑りを誘発するおそれもない安全なアンカーピンを提供する。【解決手段】アンカーピン１は、棒状本体部２と、棒状本体部２のうち打ち込まれる部位の外表面に先端側３が固着され棒状本体部２に沿って配されると共に後端側４が自由端に形成された板状体５とを有している。このため、打ち込まれたアンカーピン１に引き抜かれる方向の力が作用すると、板状体５が抵抗要素として機能すると共に棒状本体部２と板状体５の間隙に地盤を構成する土砂等が侵入し支持力を高め引き抜き難くなるよう作用する。【選択図】図１
0003153378.tif 000002
【実用新案登録請求の範囲】
【請求項１】
棒状本体部と、該棒状本体部のうち打ち込まれる部位の外表面に先端側が固着され前記棒状本体部に沿って配されると共に後端側が自由端に形成された板状体とを有していることを特徴とするアンカーピン
【請求項２】
前記板状体の前記後端側は、打ち込まれる際には前記棒状本体部の前記外表面に向かい、引き抜かれる際には前記棒状本体部の前記外表面から離間する方向に向かうように形成されている請求項１に記載のアンカーピン。
【請求項３】
前記板状体は、板状バネである請求項１または２に記載のアンカーピン。
【請求項４】
前記板状体は、前記棒状本体部の前記外表面に複数設けられている請求項１ないし３のいずれかに記載のアンカーピン。
【請求項５】
複数の前記板状体は、前記棒状本体部の前記外表面において対向する位置に設けられている請求項４に記載のアンカーピン。
【請求項６】
複数の前記板状体は、前記棒状本体部の先側に設けられた一対の板状体と、後側に設けられた一対の板状体とから形成され、当該４枚の板状体が前記棒状本体部の外表面の四方に設けられている請求項５に記載のアンカーピン。
【考案の詳細な説明】
【技術分野】
【０００１】
本考案は、地盤や基礎内に打ち込んだり、法面などに防護ネット、金網またはワイヤー等を固定する際に使用して好適なアンカーピンに関する。より詳しくは抜け止め機構を備えたアンカーピンに関する。
【背景技術】
【０００２】
従来より、地盤や基礎内に打ち込み、或いは法面などに防護ネット、金網またはワイヤー等を固定するためにアンカーピンが使用されている。
このアンカーピンの一般的な構造は、鋼材等の硬体から成形された棒状の本体部と、この本体部の先端に設けられた鋭利部と、本体部の後端を略直角に屈曲して形成された係止部とから構成されたものである。そして、このような棒状体を地盤等に打ち込むと、地盤が凍結して膨張した後の氷解で、アンカーピンが地面より浮上（凍上）してしまうことがあった。また、地面に張設した防護ネット、金網またはワイヤーに鹿などの野生動物が載るなどして荷重がかかると反力でアンカーピンが地面より浮上したり抜けてしまうことがあった。さらに、防護ネット、金網またはワイヤーが積雪や風等で引っ張られアンカーピンが地面より浮上したり抜けてしまうこともあった。
【０００３】
このような問題的を解決するものとして、棒状の本体部を波状に湾曲させたアンカーピン（特開平６−２４８６４８号公報）や棒状の本体部の外周に後部方向へ漸次拡径させたテーパー部を複数形成したアンカーピン（特開平１１−２０９９７５号公報）などが提案されている。
【０００４】
これらのものは、波状部やテーパー部によって、引き抜かれる際の摩擦抵抗を増大させ支持力を向上させようとするものであるが、これらを打ち込む際に、幅方向に拡がった波状部やテーパー部が通過する大きな打設穴が形成されてしまうため、支持力を十分に向上させることができなかった。ここで、理想的なアンカーピンとは、打設が容易でかつ支持力が大きいものであり、そのためには細く短くて支持力が大きいことが望まれる。また、地盤が軟弱な法面では、太く長いアンカーピンの打設は地滑りを誘発するおそれがあり危険である。
【特許文献１】特開平６−２４８６４８号公報
【特許文献２】特開平１１−２０９９７５号公報
【考案の開示】
【考案が解決しようとする課題】
【０００５】
そこで、本発明の課題は、細く短くても支持力が大きく地盤から抜けたり浮上することが抑制され、地盤が緩い法面でも打設による衝撃で地滑りを誘発するおそれもない安全なアンカーピンを提供することにある。
【課題を解決するための手段】
【０００６】
上記課題を解決するものは、棒状本体部と、該棒状本体部のうち打ち込まれる部位の外表面に先端側が固着され前記棒状本体部に沿って配されると共に後端側が自由端に形成された板状体とを有していることを特徴とするアンカーピンである。
【０００７】
前記板状体の前記後端側は、打ち込まれる際には前記棒状本体部の前記外表面に向かい、引き抜かれる際には前記棒状本体部の前記外表面から離間する方向に向かうように形成されていることが好ましい。前記板状体は、板状バネであることが好ましい。前記板状体は、前記棒状本体部の前記外表面に複数設けられていることが好ましい。複数の前記板状体は、前記棒状本体部の前記外表面において対向する位置に設けられていることが好ましい。複数の前記板状体は、前記棒状本体部の先側に設けられた一対の板状体と、後側に設けられた一対の板状体とから形成され、当該４枚の板状体が前記棒状本体部の外表面の四方に設けられていてもよい。
【考案の効果】
【０００８】
請求項１に記載の発明によれば、細く短くても支持力が大きく地盤から抜けたり浮上することが抑制され、地盤が緩い法面でも打設による衝撃で地滑りを誘発するおそれもない安全なアンカーピンが構成される。
請求項２に記載の発明によれば、上記請求項１の効果に加え、打つ込む際には板状体が棒状本体に向かって閉じ、引き抜く際には板状体が棒状本体より離間して開くため、打ち込みがより容易でかつ支持力が大きいアンカーピンが構成される。
請求項３に記載の発明によれば、上記請求項１の効果を有するアンカーピンを簡素な構造で構成できる。
請求項４に記載の発明によれば、複数の板状体を備えることで、より支持力が大きいアンカーピンを構成できる。
請求項５に記載の発明によれば、相反する二方に向かう板状体を備えることで、より支持力が大きいアンカーピンを構成できる。
請求項６に記載の発明によれば、四方に向かう板状体を備えることで、より支持力が大きいアンカーピンを構成できる。
【図面の簡単な説明】
【０００９】
【図１】本考案のアンカーピンの一実施例の斜視図である。
【図２】図１に示したアンカーピンの作用を説明するための説明図である。
【図３】本考案のアンカーピンの他の実施例の斜視図である。
【考案を実施するための形態】
【００１０】
本考案は、棒状本体部２の外表面に先端側３が固着され棒状本体部２に沿って配されると共に後端側４が自由端に形成された板状体５を設けることにより、細く短くても支持力が大きく地盤から抜けたり浮上することが抑制され、地盤が緩い法面でも打設による衝撃で地滑りを誘発するおそれもない安全なアンカーピンを実現した。
【実施例１】
【００１１】
図１は本考案のアンカーピンの一実施例の斜視図であり、図２は図１に示したアンカーピンの作用を説明するための説明図である。
【００１２】
この実施例のアンカーピン１は、図１に示すように、棒状本体部２と、棒状本体部２のうち打ち込まれる部位の外表面に先端側３が固着され棒状本体部２に沿って配されると共に後端側４が自由端に形成された板状体５と、棒状本体部２の先端に設けられた鋭利部６と、棒状本体部２の後端を略直角に屈曲して形成された係止部７とを有している。以下、各構成について順次詳述する。
【００１３】
棒状本体部２は、鋼材等の硬体から成形されており、先端に設けられた鋭利部６から地盤に打ち込まれる。棒状本体部２の後端には、略直角に屈曲して形成された係止部７が一体に設けられており、この係止部７に防護ネット、金網またはワイヤー等が係止されて固定される。
【００１４】
この実施例の棒状本体部２は、太さが約１３ｍｍ、長さ約４００ｍｍの丸棒状に形成されている。なお、本考案のアンカーピンの長さとしては約４００〜６００ｍｍ程度のものが好ましい。
【００１５】
板状体５は、打ち込まれたアンカーピン１に引き抜かれる方向の力が作用すると抵抗要素として機能すると共に、棒状本体部２と板状体の間隙に地盤を構成する土砂等が侵入し支持力を高め引き抜き難くなるよう作用するものである。
【００１６】
具体的には、板状体５は、棒状本体部２のうち打ち込まれる部位の外表面に先端側３が溶接にて固着され棒状本体部２に沿って配されると共に後端側４が自由端に形成されている。棒状本体部２にこのような板状体５が設けられることにより、細く短くても支持力が大きく地盤から抜けたり浮上することが抑制され、地盤が緩い法面でも打設による衝撃で地滑りを誘発するおそれもない安全なアンカーピンが構成される。
【００１７】
また、この実施例の板状体５は、弾力性を備えた板状バネにて形成されているため、板状体５の後端側４は、打ち込まれる際には棒状本体部２の外表面に向かって閉じ、引き抜かれる際には棒状本体部２の外表面から離間する方向に向かって開くように作用する。これにより、打ち込みがより容易でかつ支持力が大きいアンカーピンが構成される。
【００１８】
さらに、この実施例の板状体５は、棒状本体部２の外表面において対向する位置に設けられた複数の板状体５ａ，５ｂから構成されている。このように、複数の板状体５ａ，５ｂを備えること、および相反する二方向に向かう一対の板状体５ａ，５ｂを備えることで、より支持力が大きいアンカーピンが構成される。
【００１９】
つぎに、本考案のアンカーピンの作用について図２を用いて説明する。
図２は法面２０にネット３０を張設するためにアンカーピン１を使用した例を示したものであり、係止部７にネット３０を係合させた状態で地盤内にアンカーピン１を打設したものである。アンカーピン１を打ち込む際には、地盤を構成する土、岩、砂利などが板状体５ａ，５ｂを閉じる方向（棒状本体部２に接触させる内側方向）に作用するため、板状体５ａ，５ｂが抵抗要素として作用することがそれほどなく、比較的容易に打ち込むことができる。これに対して、アンカーピン１を引き抜く方向（図中Ｎ方向）に力が働く場合は、板状体５ａ，５ｂが開く方向（図中Ｓ方向）に作用するため抵抗要素として作用すると共に、棒状本体部２と板状体５ａ，５ｂとの間に土砂等が侵入し支持力を高め、引き抜き難くなるように作用する。
【００２０】
さらに、図３に示した本考案の他の実施例であるアンカーピン１０について説明する。
この実施例のアンカーピン１０と前述したアンカーピン１との基本的な相違は、板状体の枚数と固着位置であり他は同様である。同一構成部分については同一符号を付し説明を省略する。
この実施例の板状体は、棒状本体部２の先側に設けられた一対の板状体５ａ，５ｂと、後側に設けられた一対の板状体１５ａ，１５ｂとから形成され、当該４枚の板状体５ａ，５ｂ，１５ａ，１５ｂが棒状本体部２の外表面において略等角度（９０゜）離間して四方に設けられている。このように、四方に向かう４枚の板状体５ａ，５ｂ，１５ａ，１５ｂを備えることで、支持力がより大きいアンカーピンが構成される。
【００２１】
ただし、本考案のアンカーピンは、前述した板状体を１枚以上設けたものを広く包含するものであり、また、複数の板状体を設けたものであってもその固着位置は問わず、どのような位置に板状体が設けられたものも本考案の範疇に包含されるものである。
【符号の説明】
【００２２】
１  アンカーピン
２  棒状本体部
３  板状体の先端側
４  板状体の後端側
５  板状体
６  鋭利部
７  係止部
【図１】
0003153378.tif 000003
【図２】
0003153378.tif 000004
【図３】
0003153378.tif 000005